(57)【要約】      （修正有）【課題】好立地にある優位性を有効活用することが可能な自動販売機を提供する。【解決手段】自動販売機１は、略直方体の箱形状であるキャビネット２を有し、正面２ａに購入者操作用の商品販売手段（３ａ，３ｂ，３ｃ，３ｄ）を設けて対象商品を自動的に販売し得るようにしたものである。この自動販売機１に対し、キャビネット２の側面２ｃ又は天面２ｄ又は背面２ｂのうちの一面又は複数面に、少なくとも表側に広告を施してなる広告シート４を着脱自在に装着した。【選択図】図１
0003185463.tif 000002
【実用新案登録請求の範囲】
【請求項１】
略直方体の箱形状であるキャビネットを有し、正面に購入者操作用の商品販売手段を設けて対象商品を自動的に販売し得るようにした自動販売機であって、
前記キャビネットの側面又は天面又は背面のうちの一面又は複数面に、少なくとも表側に広告を施してなる広告シートを着脱自在に装着したことを特徴とする自動販売機。
【請求項２】
前記キャビネットは、マグネットに磁着可能な金属材料で形成されており、
前記広告シートは、前記キャビネットに磁着可能なマグネットを備えていることを特徴とする請求項１に記載の自動販売機。
【請求項３】
前記広告シートは、前記マグネットがシート状になっているマグネットシートの表面に耐水性の印刷シートを貼着してなることを特徴とする請求項２に記載の自動販売機。
【請求項４】
前記広告シートは、前記印刷シートの周縁の全部又は一部に前記マグネットーシートのない非磁着部を設けたことを特徴とする請求項３に記載の自動販売機。
【考案の詳細な説明】
【技術分野】
【０００１】
本発明は、商品を無人で販売するための自動販売機に関する。
【背景技術】
【０００２】
一般に自動販売機１は、図５に示したように、略直方体の箱形状で正面を開閉自在な扉体２０としたキャビネット２を有し、その扉体２０の正面に商品見本の陳列部３ａ、料金投入部３ｂ、商品選択ボタン３ｃ等、購入者操作用の商品販売手段が設けられている。そして、購入者自らが料金投入部３ｂに料金を投入し、商品選択ボタン３ｃを入力すると、キャビネット２内に詰められている商品が自動的に取出口３ｄに送り出されるようになっている。なお、自動販売機１の対象商品は、キャビネット２内に詰められている有形物に限るものではなく、例えば、キャビネット２内を小さい写真スタジオにしてそこで撮影した写真や、店内で提供する料理の食券或はダウンロード可能なコンピューター用のプログラム等も含まれる。
【先行技術文献】
【特許文献】
【０００３】
【特許文献１】実登第３０１１１２７号公報
【考案の概要】
【考案が解決しようとする課題】
【０００４】
現在、自動販売機１で販売される商品は、飲料、食品、嗜好品など多種多様であり、設置台数も非常に多い。また、自動販売機１は、商品の販売を目的とするため、多くの場合、屋外や屋内の人通りの多い目立ちやすい場所に設置されている。
このように人通りの多い目立ちやすい場所にある、という恵まれた環境にありながら、従来の自動販売機は、その立地上の優位性を十分に活かしきれていない、というのが現状である。
【０００５】
本考案は上記に鑑みなされたもので、その目的は、立地上の優位性を有効活用することが可能な自動販売機を提供することにある。
【課題を解決するための手段】
【０００６】
上記の目的を達成するため本考案は、請求項１に記載したように、略直方体の箱形状であるキャビネットを有し、正面に購入者操作用の商品販売手段を設けて対象商品を自動的に販売し得るようにした自動販売機であって、前記キャビネットの側面又は天面又は背面のうちの一面又は複数面に、少なくとも表側に広告を施してなる広告シートを着脱自在に装着した自動販売機を提供する。
【０００７】
また、請求項２に記載したように、前記キャビネットは、マグネットに磁着可能な金属材料で形成されており、前記広告シートは、前記キャビネットに磁着可能なマグネットを備えている請求項１に記載の自動販売機を提供する。
【０００８】
また、請求項３に記載したように、前記広告シートは、前記マグネットがシート状になっているマグネットシートの表面に耐水性の印刷シートを貼着してなる請求項２に記載の自動販売機を提供する。
【０００９】
また、請求項４に記載したように、前記広告シートは、前記印刷シートの周縁の全部又は一部に前記マグネットーシートのない非磁着部を設けた請求項３に記載の自動販売機を提供する。
【考案の効果】
【００１０】
直方体の箱形状のキャビネットの側面又は天面又は背面のうちの一面又は複数面に広告シートを装着すると、人通りの多い場所にある自動販売機の立地上の優位性により、多くの人の目に触れさせることができる。したがって広告効果が高い。なお、キャビネットの天面又は背面は、一見人目に触れにくいように思われるが、例えば、吹き抜けのある室内に設置された自動販売機では、高所から見下ろす角度で天面が目立つ場合があり、また、駐車場のような特定の敷地の端に並べられている自動販売機では、隣の敷地から背面が良く目立つ場合がある。
また、広告シートが着脱自在であることより、現場で広告シートを交換するだけで広告内容を短時間で変更することができる。特に、請求項２のようにマグネットを備えた広告シートをキャビネットに磁着させるようにすれば、広告シートの交換が簡単且つスピーディーに行える。
【００１１】
また、請求項３のように、マグネットシートの表面に耐水性の印刷シートを貼着して構成した広告シートを使用すれば、屋外で風雨にさらされても広告が損なわれるおそれがなく、一方、印刷シートのみを交換することでマグネットシートが繰り返し利用できるため、コストを低く抑えることができる。
【００１２】
また、請求項４のように、広告シートの印刷シートの周縁の全部又は一部にマグネットシートのない非磁着部を設けることにより、その非磁着部に指を引っ掛けることで磁着した広告シートを剥がすことが容易であり、しかも剥がす際にキャビネットに爪などの引っ掻き傷を付けるおそれもない。
【図面の簡単な説明】
【００１３】
【図１】自動販売機の正面側から見た斜視図である。
【図２】自動販売機の背面側から見た斜視図である。
【図３】広告シートの一部を破断し且つその破断部の一部拡大図を含む斜視図である。
【図４】他の形態を示すもので、広告シートの一部を破断し且つその破断部の一部拡大図を含む斜視図である。
【図５】従来の自動販売機を示す斜視図である。
【考案を実施するための形態】
【００１４】
以下に本考案の実施の形態を図面を参照しつつ説明する。
自動販売機１は、図１、図２に示したように、マグネットに磁着可能な例えば鋼板で形成されたキャビネット２を有する。
このキャビネット２は、正面２ａと、背面２ｂと、側面２ｃ，２ｃと、天面２ｄと、底面とを有する略直方体の箱形状で、正面２ａに開閉自在な扉体２０が設けられている。この扉体２０の正面、つまり自動販売機１の正面２ａに、商品見本の陳列部３ａと、料金投入部３ｂと、商品選択ボタン３ｃ，３ｃ…と、からなる購入者操作用の商品販売手段が設けられており、購入者自らが料金投入部３ｂに料金を投入し、商品選択ボタン３ｃを入力すると、キャビネット２内に詰められている商品が自動的に取出口３ｄに送り出されるようになっている。
【００１５】
ここまでで説明した自動販売機１は、図５で説明した従来の自動販売機１と同じであるが、本考案の自動販売機１は、前記キャビネット２の側面２ｃ，２ｃ又は天面２ｄ又は背面２ｂのうちの一面又は複数面に図３に示した広告シート４を着脱自在に装着したことを特徴とするものである。
【００１６】
すなわち、前記広告シート４は、前記キャビネット２に磁着可能なマグネットをシート状にしたマグネットシート４ａを下地材とし、その表面にマグネットシート４ａの形状に整合する耐水性の印刷シート４ｂを貼着して形成されている。
広告には、例えば行政機関の公報や、企業の宣伝、商品の宣伝、求人広告、選挙用広告（いわゆる選挙ポスター）などが含まれ、公序良俗に反せず且つ違法でないものであれば分野・種類・内容は限定されない。
【００１７】
実施形態の自動販売機１は以上のように構成されているため、広告依頼主は、自動販売機１がある人通りの多い場所に広告を掲示して高い効果を得ることができ、一方、自動販売機１の所有者は、商品の販売による営業利益に加えて広告による利益をも得ることができる。
広告シート４は、マグネットシート４ａにより着脱自在に装着されているため、その交換は現場においてごく短時間で行うことができる。
また、広告シート４は、マグネットシート４ａの表面に印刷シート４ｂを貼着したものであるため、マグネットシート４ａから印刷シート４ｂを剥がして張り替えることでマグネットシート４ａを繰り返し無駄なく使い切ることができる。
【００１８】
以上、本考案を実施の形態について説明したが、もちろん本考案は上記実施形態に限定されるものではない。例えば、実施形態では広告シート４を構成するマグネットシート４ａと印刷シート４ｂの外形を一致させてぴったり整合させるようにしたが、図４に示したようにマグネットシート４ａを印刷シート４ｂより一回り小さくし、そうして印刷シート４ｂの周縁の全部にマグネットシート４ａのない非磁着部４ｃを形成するようにしてもよい。かかる非磁着部４ｃを設けることにより、その非磁着部４ｃに指を引っ掛けることで磁着した広告シート４を簡単に剥がすことができる。しかも剥がす際にキャビネット２に爪などの引っ掻き傷を付けるおそれもない。この非磁着部４ｃは、印刷シート４ｂの周縁の全部に設ける場合のほか、例えば印刷シート４ｂの一辺や、一つのコーナーにのみ設けるようにしてもよい。
【００１９】
また、実施形態では、マグネットシート４ａを使って広告シート４をキャビネット２に磁着させるようにしたが、そのようなマグネットシート４ａに代え、微細な吸盤を集積させたいわゆるマイクロ吸盤シートを使用してキャビネット２に吸着させるようにしてもよい。
また、実施形態では、キャビネット２の側面２ｃ等の該当面に広告シール４を１枚装着するようにしたが、キャビネット２の１面に対して広告シール４を複数枚装着するようにしてもよい。
【符号の説明】
【００２０】
１  …自動販売機
２  …キャビネット
２ａ  …正面
２ｂ  …背面
２ｃ  …側面
２ｄ  …天面
３ａ  …陳列部（商品販売手段）
３ｂ  …料金投入部（商品販売手段）
３ｃ  …商品選択ボタン（商品販売手段）
３ｄ  …取出口（商品販売手段）
４  …広告シート
４ａ  …マグネットシート
４ｂ  …印刷シート
４ｃ  …非磁着部
【図１】
0003185463.tif 000003
【図２】
0003185463.tif 000004
【図３】
0003185463.tif 000005
【図４】
0003185463.tif 000006
【図５】
0003185463.tif 000007